【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
多数の画素がマトリクス状に配列された表示部を有し、供給される画像信号に応じた映像を表示させるディスプレイの駆動装置において、
少なくとも１行単位に画素を選択する第１の駆動回路と、選択行に対してＯＮ信号とＯＦＦ信号からなる表示用情報を出力する第２の駆動回路と、第１及び第２の駆動回路を少なくとも時間変調方式を用いて制御する信号制御回路とを具備し、
１枚の画像の表示期間を１フィールドとしたとき、前記１フィールドを複数の表示サイクルに分割し、
前記１フィールドは、
1)  １つあるいは２つ以上の連続した表示サイクルからなる１つの第１の表示サイクル群と、
2)  前記第１の表示サイクル群の直後から配置された、１つあるいは２つ以上の連続した表示サイクルからなる１つの第２の表示サイクル群と、
を有しており、
前記第１の表示サイクル群を構成する表示サイクルと前記第２の表示サイクル群を構成する表示サイクルで割り当て時間が異なり、
割り当て時間が異なる２以上の表示サイクルをＯＮ状態にすることにより１フィールドで階調を表現する際には、
a)  前記第１の表示サイクル群に含まれるひとつの表示サイクルにおいて、画素のＯＦＦ状態からＯＮ状態への遷移を生じさせ、
b)  前記第２の表示サイクル群に含まれるひとつの表示サイクルにおいて、画素に記憶されたＯＮ状態が消去されるものであり、
前記第１の表示サイクル群においてＯＦＦ状態から遷移した画素のＯＮ状態が、前記第２の表示サイクル群を構成する表示サイクルの１つにおいて消去されるまで、画素内の電荷保持機能に基づく画素のメモリ効果を利用して維持されることを特徴とするディスプレイの駆動装置。
【請求項２】
多数の画素がマトリクス状に配列された表示部を有し、供給される画像信号に応じた映像を表示させるディスプレイの駆動装置において、
少なくとも１行単位に画素を選択する第１の駆動回路と、選択行に対してＯＮ信号とＯＦＦ信号からなる表示用情報を出力する第２の駆動回路と、第１及び第２の駆動回路を少なくとも時間変調方式を用いて制御する信号制御回路とを具備し、
１枚の画像の表示期間を１フィールドとしたとき、前記１フィールドを複数の表示サイクルに分割し、
前記１フィールドは、
1)  １つあるいは２つ以上の連続した表示サイクルからなる１つの第１の表示サイクル群と、
2)  前記第１の表示サイクル群の直後から配置された、１つあるいは２つ以上の連続した表示サイクルからなる１つの第２の表示サイクル群と、
を有しており、
前記第１の表示サイクル群を構成する表示サイクルと前記第２の表示サイクル群を構成する表示サイクルで割り当て時間が異なり、
割り当て時間が異なる２以上の表示サイクルをＯＮ状態にすることにより１フィールドで階調を表現する際には、
a)  前記第１の表示サイクル群に含まれるひとつの表示サイクルにおいて、画素のＯＦＦ状態からＯＮ状態への遷移を生じさせ、
b)  前記第２の表示サイクル群に含まれるひとつの表示サイクルにおいて、画素に記憶されたＯＮ状態が消去されるものであり、
前記第１の表示サイクル群においてＯＦＦ状態から遷移した画素のＯＮ状態が、前記第２の表示サイクル群を構成する表示サイクルの１つにおいて消去されるまで、画素内の電荷保持機能に基づく画素のメモリ効果を利用して維持され、
少なくとも前記第２の表示サイクル群は、各行毎に画素のＯＮ状態の維持／消去を制御する行走査期間を有し、ＯＮ状態の画素は、前記行走査が最終行まで終了する前の期間において発光を行う表示サイクルを含むことを特徴とするディスプレイの駆動装置。
【請求項３】
多数の画素がマトリクス状に配列された表示部を有し、供給される画像信号に応じた映像を表示させるディスプレイの駆動方法において、
少なくとも１行単位に画素を選択し、選択行に対してＯＮ信号とＯＦＦ信号からなる表示用情報を出力し、少なくとも時間変調方式を用いて制御するものであって、
１枚の画像の表示期間を１フィールドとしたとき、前記１フィールドを複数の表示サイクルに分割し、
前記１フィールドは、
1)  １つあるいは２つ以上の連続した表示サイクルからなる１つの第１の表示サイクル群と、
2)  前記第１の表示サイクル群の直後から配置された、１つあるいは２つ以上の連続した表示サイクルからなる１つの第２の表示サイクル群と、
を有しており、
前記第１の表示サイクル群を構成する表示サイクルと前記第２の表示サイクル群を構成する表示サイクルで割り当て時間が異なり、
割り当て時間が異なる２以上の表示サイクルをＯＮ状態にすることにより１フィールドで階調を表現する際には、
a)  前記第１の表示サイクル群に含まれるひとつの表示サイクルにおいて、画素のＯＦＦ状態からＯＮ状態への遷移を生じさせ、
b)  前記第２の表示サイクル群に含まれるひとつの表示サイクルにおいて、画素に記憶されたＯＮ状態が消去されるものであり、
前記第１の表示サイクル群においてＯＦＦ状態から遷移した画素のＯＮ状態が、前記第２の表示サイクル群を構成する表示サイクルの１つにおいて消去されるまで、画素内の電荷保持機能に基づく画素のメモリ効果を利用して維持されることを特徴とするディスプレイの駆動方法。
【請求項４】
多数の画素がマトリクス状に配列された表示部を有し、供給される画像信号に応じた映像を表示させるディスプレイの駆動方法において、
少なくとも１行単位に画素を選択し、選択行に対してＯＮ信号とＯＦＦ信号からなる表示用情報を出力し、少なくとも時間変調方式を用いて制御するものであって、
１枚の画像の表示期間を１フィールドとしたとき、前記１フィールドを複数の表示サイクルに分割し、
前記１フィールドは、
1)  １つあるいは２つ以上の連続した表示サイクルからなる１つの第１の表示サイクル群と、
2)  前記第１の表示サイクル群の直後から配置された、１つあるいは２つ以上の連続した表示サイクルからなる１つの第２の表示サイクル群と、
を有しており、
前記第１の表示サイクル群を構成する表示サイクルと前記第２の表示サイクル群を構成する表示サイクルで割り当て時間が異なり、
割り当て時間が異なる２以上の表示サイクルをＯＮ状態にすることにより１フィールドで階調を表現する際には、
a)  前記第１の表示サイクル群に含まれるひとつの表示サイクルにおいて、画素のＯＦＦ状態からＯＮ状態への遷移を生じさせ、
b)  前記第２の表示サイクル群に含まれるひとつの表示サイクルにおいて、画素に記憶されたＯＮ状態が消去されるものであり、
前記第１の表示サイクル群においてＯＦＦ状態から遷移した画素のＯＮ状態が、前記第２の表示サイクル群を構成する表示サイクルの１つにおいて消去されるまで、画素内の電荷保持機能に基づく画素のメモリ効果を利用して維持され、
少なくとも前記第２の表示サイクル群は、各行毎に画素のＯＮ状態の維持／消去を制御する行走査期間を有し、ＯＮ状態の画素は、前記行走査が最終行まで終了する前の期間において発光を行う表示サイクルを含むことを特徴とするディスプレイの駆動方法。
【手続補正２】
【補正対象書類名】明細書
【補正対象項目名】０００９
【補正方法】変更
【補正の内容】
【０００９】
第１の本発明に係るディスプレイの駆動装置は、多数の画素がマトリクス状に配列された表示部を有し、供給される画像信号に応じた映像を表示させるディスプレイの駆動装置において、少なくとも１行単位に画素を選択する第１の駆動回路と、選択行に対してＯＮ信号とＯＦＦ信号からなる表示用情報を出力する第２の駆動回路と、第１及び第２の駆動回路を少なくとも時間変調方式を用いて制御する信号制御回路とを具備し、１枚の画像の表示期間を１フィールドとしたとき、前記１フィールドを複数の表示サイクルに分割し、前記１フィールドは、1)１つあるいは２つ以上の連続した表示サイクルからなる１つの第１の表示サイクル群と、2)前記第１の表示サイクル群の直後から配置された、１つあるいは２つ以上の連続した表示サイクルからなる１つの第２の表示サイクル群とを有しており、前記第１の表示サイクル群を構成する表示サイクルと前記第２の表示サイクル群を構成する表示サイクルで割り当て時間が異なり、割り当て時間が異なる２以上の表示サイクルをＯＮ状態にすることにより１フィールドで階調を表現する際には、a)前記第１の表示サイクル群に含まれるひとつの表示サイクルにおいて、画素のＯＦＦ状態からＯＮ状態への遷移を生じさせ、b)前記第２の表示サイクル群に含まれるひとつの表示サイクルにおいて、画素に記憶されたＯＮ状態が消去されるものであり、前記第１の表示サイクル群においてＯＦＦ状態から遷移した画素のＯＮ状態が、前記第２の表示サイクル群を構成する表示サイクルの１つにおいて消去されるまで、画素内の電荷保持機能に基づく画素のメモリ効果を利用して維持されることを特徴とする。
【手続補正３】
【補正対象書類名】明細書
【補正対象項目名】００１０
【補正方法】変更
【補正の内容】
【００１０】
また、第２の本発明に係るディスプレイの駆動装置は、多数の画素がマトリクス状に配列された表示部を有し、供給される画像信号に応じた映像を表示させるディスプレイの駆動装置において、少なくとも１行単位に画素を選択する第１の駆動回路と、選択行に対してＯＮ信号とＯＦＦ信号からなる表示用情報を出力する第２の駆動回路と、第１及び第２の駆動回路を少なくとも時間変調方式を用いて制御する信号制御回路とを具備し、１枚の画像の表示期間を１フィールドとしたとき、前記１フィールドを複数の表示サイクルに分割し、前記１フィールドは、1)１つあるいは２つ以上の連続した表示サイクルからなる１つの第１の表示サイクル群と、2)前記第１の表示サイクル群の直後から配置された、１つあるいは２つ以上の連続した表示サイクルからなる１つの第２の表示サイクル群とを有しており、前記第１の表示サイクル群を構成する表示サイクルと前記第２の表示サイクル群を構成する表示サイクルで割り当て時間が異なり、割り当て時間が異なる２以上の表示サイクルをＯＮ状態にすることにより１フィールドで階調を表現する際には、a)前記第１の表示サイクル群に含まれるひとつの表示サイクルにおいて、画素のＯＦＦ状態からＯＮ状態への遷移を生じさせ、b)前記第２の表示サイクル群に含まれるひとつの表示サイクルにおいて、画素に記憶されたＯＮ状態が消去されるものであり、前記第１の表示サイクル群においてＯＦＦ状態から遷移した画素のＯＮ状態が、前記第２の表示サイクル群を構成する表示サイクルの１つにおいて消去されるまで、画素内の電荷保持機能に基づく画素のメモリ効果を利用して維持され、少なくとも前記第２の表示サイクル群は、各行毎に画素のＯＮ状態の維持／消去を制御する行走査期間を有し、ＯＮ状態の画素は、前記行走査が最終行まで終了する前の期間において発光を行う表示サイクルを含むことを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、第３の本発明に係るディスプレイの駆動方法は、多数の画素がマトリクス状に配列された表示部を有し、供給される画像信号に応じた映像を表示させるディスプレイの駆動方法において、少なくとも１行単位に画素を選択し、選択行に対してＯＮ信号とＯＦＦ信号からなる表示用情報を出力し、少なくとも時間変調方式を用いて制御するものであって、１枚の画像の表示期間を１フィールドとしたとき、前記１フィールドを複数の表示サイクルに分割し、前記１フィールドは、1)１つあるいは２つ以上の連続した表示サイクルからなる１つの第１の表示サイクル群と、2)前記第１の表示サイクル群の直後から配置された、１つあるいは２つ以上の連続した表示サイクルからなる１つの第２の表示サイクル群とを有しており、前記第１の表示サイクル群を構成する表示サイクルと前記第２の表示サイクル群を構成する表示サイクルで割り当て時間が異なり、割り当て時間が異なる２以上の表示サイクルをＯＮ状態にすることにより１フィールドで階調を表現する際には、a)前記第１の表示サイクル群に含まれるひとつの表示サイクルにおいて、画素のＯＦＦ状態からＯＮ状態への遷移を生じさせ、b)前記第２の表示サイクル群に含まれるひとつの表示サイクルにおいて、画素に記憶されたＯＮ状態が消去されるものであり、前記第１の表示サイクル群においてＯＦＦ状態から遷移した画素のＯＮ状態が、前記第２の表示サイクル群を構成する表示サイクルの１つにおいて消去されるまで、画素内の電荷保持機能に基づく画素のメモリ効果を利用して維持されることを特徴とする。
【手続補正７】
【補正対象書類名】明細書
【補正対象項目名】００１５
【補正方法】変更
【補正の内容】
【００１５】
また、第４の本発明に係るディスプレイの駆動方法は、多数の画素がマトリクス状に配列された表示部を有し、供給される画像信号に応じた映像を表示させるディスプレイの駆動方法において、少なくとも１行単位に画素を選択し、選択行に対してＯＮ信号とＯＦＦ信号からなる表示用情報を出力し、少なくとも時間変調方式を用いて制御するものであって、１枚の画像の表示期間を１フィールドとしたとき、前記１フィールドを複数の表示サイクルに分割し、前記１フィールドは、1)１つあるいは２つ以上の連続した表示サイクルからなる１つの第１の表示サイクル群と、2)前記第１の表示サイクル群の直後から配置された、１つあるいは２つ以上の連続した表示サイクルからなる１つの第２の表示サイクル群とを有しており、前記第１の表示サイクル群を構成する表示サイクルと前記第２の表示サイクル群を構成する表示サイクルで割り当て時間が異なり、割り当て時間が異なる２以上の表示サイクルをＯＮ状態にすることにより１フィールドで階調を表現する際には、a)前記第１の表示サイクル群に含まれるひとつの表示サイクルにおいて、画素のＯＦＦ状態からＯＮ状態への遷移を生じさせ、b)前記第２の表示サイクル群に含まれるひとつの表示サイクルにおいて、画素に記憶されたＯＮ状態が消去されるものであり、前記第１の表示サイクル群においてＯＦＦ状態から遷移した画素のＯＮ状態が、前記第２の表示サイクル群を構成する表示サイクルの１つにおいて消去されるまで、画素内の電荷保持機能に基づく画素のメモリ効果を利用して維持され、少なくとも前記第２の表示サイクル群は、各行毎に画素のＯＮ状態の維持／消去を制御する行走査期間を有し、ＯＮ状態の画素は、前記行走査が最終行まで終了する前の期間において発光を行う表示サイクルを含むことを特徴とする。